(57)【要約】  【課題】従来から、ハードディスク等の回転ディスクを記録媒体とする電子機器においては、データレートやデータ量に関係なくディスクを常に高速で回転させることが必要であり、無駄に電力を消費していたという問題がある。  【解決手段】本発明にかかる電子機器は、デジタル信号から取得したデータレート値やデータ量値に応じて、回転ディスクの回転数を決定し、決定した回転数に基づいてモータを制御することにより、不必要な電力消費を削減することが可能となる。【選択図】            図１
2006331581.tif 000002
【特許請求の範囲】
【請求項１】
回転ディスクを記録媒体として利用する電子機器であって、
回転ディスクを駆動する第一モータ部と、
記録媒体との間でやり取りするデジタル信号のデータレート値を取得するデータレート値取得部と、
データレート値取得部にて取得したデータレート値に基づいて第一モータ部を制御する第一制御部と、
を有する電子機器。
【請求項２】
第一制御部は、データレート値に基づいて回転ディスクの回転数を決定する第一回転数決定手段を有し、第一回転数決定手段の決定した回転数に基づいて制御を行う請求項１に記載の電子機器。
【請求項３】
第一制御部は、制御ルールを保持する第一制御ルール保持手段と、
第一制御ルール保持手段にて保持されている第一制御ルールを管理する第一制御ルール管理手段と、を有する請求項１又は２に記載の電子機器。
【請求項４】
回転ディスクを記録媒体として利用する電子機器であって、
回転ディスクを駆動する第二モータ部と、
記録媒体との間でやり取りするデジタル信号のデータ量値を取得するデータ量値取得部と、
データ量値取得部にて取得したデータ量値に基づいて第二モータ部を制御する第二制御部と、
を有する電子機器。
【請求項５】
第二制御部は、データ量値に基づいて回転ディスクの回転数を決定する第二回転数決定手段を有し、第二回転数決定手段の決定した回転数に基づいて制御を行う請求項４に記載の電子機器。
【請求項６】
第二制御部は、制御ルールを保持する第二制御ルール保持手段と、
第二制御ルール保持手段にて保持されている第二制御ルールを管理する第二制御ルール管理手段と、を有する請求項４又は５に記載の電子機器。
【請求項７】
制御部は、回転ディスクの回転数決定のための一以上のパラメータを取得するパラメータ取得手段を有し、パラメータ取得手段にて取得したパラメータにも基づいて制御を行う請求項１から６のいずれか一に記載の電子機器。
【請求項８】
回転ディスクをモータにより駆動し記録媒体として利用する電子機器の動作方法であって、
記録媒体との間でやり取りするデジタル信号のデータレート値を取得するデータレート値取得ステップと、
データレート値取得ステップにて取得したデータレート値に基づいてモータを制御する第一制御ステップと、
を有する電子機器の動作方法。
【請求項９】
回転ディスクをモータにより駆動し記録媒体として利用する電子機器の動作方法であって、
記録媒体との間でやり取りするデジタル信号のデータ量値を取得するデータ量値取得ステップと、
データ量値取得ステップにて取得したデータ量値に基づいてモータを制御する第二制御ステップと、
を有する電子機器の動作方法。
【発明の詳細な説明】
【技術分野】
【０００１】
本発明は、回転ディスクを記録媒体として利用する電子機器に関する。
【背景技術】
【０００２】
従来、ハードディスク等の記録再生機器においては、電源投入後はスピンドルモータが回転し、それに伴い、スピンドルモータに固定された記録媒体を定常回転数で回転させる。この回転された記録媒体上をヘッドが移動し、読み出し又は書き込みを行う。
【０００３】
しかし、読み出し又は書き込みを行わない非アクセス時においても、スピンドルモータが回転しており、モータにより電力消費が生じてしまう。このため、特許文献１では、ハードディスク記憶装置において、上位装置からの非アクセス時にはスピンドルモータの制御を行い、スピンドルモータを減速することにしている。
【特許文献１】特開平１０−１０６１１６号
【発明の開示】
【発明が解決しようとする課題】
【０００４】
しかしながら、特許文献１にかかるハードディスク記憶装置では、非アクセス時にはスピンドルモータを減速させ、消費電力の増大を抑えているものの、記録時又は再生時には常に定常回転数で回転している。そのため、記録再生機器で記録又は再生させるデータに関わらず、スピンドルモータは常に高速回転が必要であり、スピンドルモータに不必要な負荷がかかり、消費電力が大きい。
【課題を解決するための手段】
【０００５】
かかる課題を解決するため、第１発明では、回転ディスクを記録媒体として利用する電子機器であって、回転ディスクを駆動する第一モータ部と、記録媒体との間でやり取りするデジタル信号のデータレート値を取得するデータレート値取得部と、データレート値取得部にて取得したデータレート値に基づいて第一モータ部を制御する第一制御部と、を有する電子機器を提案する。
【０００６】
第２発明では、第１発明に記載の電子機器であって、第一制御部は、データレート値に基づいて回転ディスクの回転数を決定する第一回転数決定手段を有し、第一回転数決定手段の決定した回転数に基づいて制御を行う電子機器を提案する。
【０００７】
第３発明では、第１発明又は第２発明に記載のいずれか一にかかる電子機器であって、第一制御部は、制御ルールを保持する第一制御ルール保持手段と、第一制御ルール保持手段にて保持されている制御ルールを管理する第一制御ルール管理手段と、を有する電子機器を提案する。
【０００８】
第４発明では、回転ディスクを記録媒体として利用する電子機器であって、回転ディスクを駆動する第二モータ部と、記録媒体との間でやり取りするデジタル信号のデータ量値を取得するデータ量値取得部と、データ量値取得部にて取得したデータ量値に基づいて第二モータ部を制御する第二制御部と、を有する電子機器を提案する。
【０００９】
第５発明では、第４発明に記載の電子機器であって、第二制御部は、データ量値に基づいて回転ディスクの回転数を決定する第二回転数決定手段を有し、第二回転数決定手段の決定した回転数に基づいて制御を行う電子機器を提案する。
【００１０】
第６発明では、第４発明又は第５発明に記載のいずれか一にかかる電子機器であって、第二制御部は、制御ルールを保持する第二制御ルール保持手段と、第二制御ルール保持手段にて保持されている制御ルールを管理する第二制御ルール管理手段と、を有する電子機器を提案する。
【００１１】
第７発明では、第１発明から第６発明に記載のいずれか一にかかる電子機器であって、制御部は、回転ディスクの回転数決定のための一以上のパラメータを取得するパラメータ取得手段を有し、パラメータ取得手段にて取得したパラメータにも基づいて制御を行う電子機器を提案する。
【００１２】
第８発明では、回転ディスクをモータにより駆動し記録媒体として利用する電子機器の動作方法であって、記録媒体との間でやり取りするデジタル信号のデータレート値を取得するデータレート値取得ステップと、データレート値取得ステップにて取得したデータレート値に基づいてモータを制御する第一制御ステップと、を有する電子機器の動作方法を提案する。
【００１３】
第９発明では、回転ディスクをモータにより駆動し記録媒体として利用する電子機器の動作方法であって、記録媒体との間でやり取りするデジタル信号のデータ量値を取得するデータ量値取得ステップと、データ量値取得ステップにて取得したデータ量値に基づいてモータを制御する第二制御ステップと、を有する電子機器の動作方法を提案する。
【発明の効果】
【００１４】
上記手段によれば、以下のような効果が得られる。
【００１５】
本発明の請求項１から７に記載のいずれか一の電子機器、又は、請求項８又は９に記載のいずれか一の方法によれば、入力される又は出力するデジタル信号のデータレート値又はデータ量値のいずれか一又は二以上の値に応じて、記録媒体に固定されたモータの回転数を制御することができる。モータの回転数を細かく制御することによって、不必要に記録媒体を高速回転させることがなく、消費電力の削減、記録媒体の発熱量の低下という優れた効果を奏し得る。
【発明を実施するための最良の形態】
【００１６】
本発明を実施するための最良の形態について図面を用いて詳細に説明する。図１から図１１は発明を実施する形態の一例であって、図中、同一の符号を付した部分は同一物を示す。なお、本発明はこれら実施形態および実施形態中に記載の数値に何ら限定されるものではなく、その要旨を逸脱しない範囲において、種々なる態様で実施しうる。なお、実施形態と請求項の関係は次の通りである。
【００１７】
実施形態１は主に請求項１及び７、８などに関する。実施形態２は主に請求項２及び７、８などに関する。実施形態３は主に請求項３及び７、８などに関する。実施形態４は主に請求項４及び７、９などに関する。実施形態５は主に請求項５及び７、９などに関する。実施形態６は主に請求項６及び７、９などに関する。実施形態７は主に請求項７などに関する。
【００１８】
≪実施形態１≫
【００１９】
<実施形態１の概念>本実施形態は、入力される又は出力するデジタル信号のデータレート値をデータレート値取得部で取得し、取得したデータレート値に基づいて第一制御部にて第一モータ部を制御し、制御された回転数で回転する回転ディスクへデジタル信号の書き込み又は読み出しを行う電子機器に関する。
【００２０】
<実施形態１の構成>図１に本実施形態にかかる電子機器の機能ブロック図を例示する。本実施形態に示す電子機器（０１００）は、「データレート値取得部」（０１０１）、「第一制御部」（０１０２）、「第一モータ部」（０１０３）、「回転ディスク」（０１０４）を有する。
【００２１】
<実施形態１の構成の説明>「データレート値取得部」（０１０１）とは、記録媒体との間でやり取りするデジタル信号のデータレート値を取得する機能を有する。データレート値取得部では、入力されたデジタル信号（０１０５）又は出力するデジタル信号（０１０６）を構成する情報の中に含まれるデータレートに関する情報からデータレート値を読み取る。「データレート」とは、単位時間当たりに転送されるデータ数で、音声や動画の圧縮技術における品質や圧縮率を示すときに使われる。「データレート値」とは、デジタル信号が持つデータレートを示す数値情報をいい、１０Ｍｂｐｓなどと表現する。具体的にはデータレート値は、デジタル信号のメタ情報から読み取る。メタ情報には、デジタル信号に関する様々な管理情報が記述されており、データレート値についてもメタ情報に記述されている。
【００２２】
例えば、デジタル放送信号には、映像情報、音声情報のほかにも、放送局のチャンネル信号や番組の解像度情報などのメタ情報が含まれる。なお、本実施形態においては、原則としてデジタル信号がメタ情報などによりデータレートに関する情報を含む場合を想定しているが、デジタル信号のメタ情報にデータレート値が含まれていない場合や、メタ情報そのものを有していない場合には、入力されたデジタル信号の単位時間当たりに転送されるデータ数を測定してデータレート値を計算してもいいし、デジタル信号が、アナログ信号等をMPEG(Moving Picture Experts Grope)等へデジタル変換したものであれば、変換時に設定したデータレート値を用いてもよい。
【００２３】
また、一つのデジタル信号に複数のデータレート値が含まれている場合が考えられる。例えば、デジタル放送信号の場合であれば、一つの放送番組であってもＣＭ中と本編のデータレート値が異なる場合が想定され、それぞれがメタ情報に含まれたデータレート値を有している場合が考えられる。この場合には、一つのデジタル信号から複数のデータレート値を取得することができる。
【００２４】
なお、デジタル信号とは、デジタル放送やインターネットを通じて配信される情報、ＣＤ、ＤＶＤ、ＭＯ、ＭＤ等の記録媒体に記録されている情報等であって、電子的に記録されうる全ての電子データ類を含む。データレート値取得部の具体例としては、ＤＥＭＵＸなどの多重化されたデータを分離することができる機器が挙げられる。
【００２５】
「第一制御部」（０１０２）は、データレート値取得部にて取得したデータレート値に基づいて第一モータ部を制御する機能を有する。第一制御部はデータレート値に応じて回転ディスクの回転数を決定し、決定した回転数によって第一モータ部を制御する。データレート値取得部で取得したデータレート値が高い場合には、データ処理量が多いと想定されるため、回転ディスクの回転数は高く設定され、データレート値が低い場合には、データ処理量が少ないと想定されるため、回転ディスクの回転数は低く設定される。なお、記録媒体にハードディスクを用いる場合には、ディスクの回転数を調節することができるハードディスクコントローラが第一制御部に好適である。
【００２６】
「第一モータ部」（０１０３）は、回転ディスクを駆動する機能を有する。第一モータ部は、決められた回転数で回転ディスクを回転させるために、第一制御部により制御される。なお、記録媒体にハードディスクを用いる場合には、ディスクを回転させるスピンドルモータが第一モータ部に好適である。
【００２７】
「回転ディスク」（０１０４）とは、光磁気的、磁気的等に記録再生できる媒体であって、モータによって回転可能なディスクをいう。記録媒体にハードディスクを用いる場合には、ハードディスクが有するプラッタと呼ばれるディスクが回転ディスクに好適である。
【００２８】
<実施形態１から３の処理の流れ>図１０に実施形態１から３に記載のいずれか一にかかる電子機器の処理の流れを示す。前記電子機器は、回転ディスクをモータにより駆動し記録媒体として利用する電子機器であって、まず、記録媒体との間でやり取りするデジタル信号のデータレート値を取得し（Ｓ１００１、データレート値取得ステップ）、次に、データレート値取得ステップにて取得したデータレート値に基づいてモータを制御する（Ｓ１００２、第一制御ステップ）。
【００２９】
<実施形態１の具体例>外部からデジタル信号が電子機器に入力されると、データレート値取得部では、デジタル信号に含まれるメタ情報からデジタル信号のデータレート値を取得する。データレート値取得部にて取得したデータレート値は、第一制御部に伝達される。第一制御部では、伝達されたデータレート値に応じて回転ディスクの回転数を決定し、決定した回転数で第一モータ部を制御する。第一モータ部では、第一制御部にて決定された回転数に基づいて回転ディスクを回転させ、回転ディスクへデジタル信号が書き込まれる。このとき、デジタル信号に含まれるメタ情報も回転ディスクへ書き込まれるため、デジタル信号を出力する場合にはこのメタ情報からデータレート値を取得することができる。
【００３０】
入力されたデジタル信号を出力する場合には、データレート値取得部にてデジタル信号記録時に映像信号や音声信号とともに記録されたメタ情報からデータレート値を取得する。取得したデータレート値は、データレート値取得部から第一制御部へ伝達され、第一制御部ではデータレート値に応じた回転ディスクの回転数を決定する。第一制御部は、決定した回転数に応じて第一モータ部を制御する。第一モータ部では決定された回転数に基づいて回転ディスクを回転させ、回転ディスクからデジタル信号が読み出され、デジタル信号が出力される。なお、デジタル信号の出力先は外部であってもよいし、電子機器自体が映像表示装置や音声出力装置を有して出力してもよい。
【００３１】
なお、デジタル信号のメタ情報にデータレート値が含まれていない場合やメタ情報そのものを有していない場合にデータレート値を測定する場合、又は、データレート値を有している場合であってもデータレート値を取得する前の状態では、データレート値を取得するまでの間はデータレート値に応じた回転の制御をすることができないため、回転ディスクを最大の回転数で回転させておき、データレート値が判明した後にデータレート値に応じた制御を行う。
【００３２】
<実施形態１の効果>本実施形態にかかる電子機器では、入力される又は出力するデジタル信号のデータレート値を取得し、取得したデータレート値に基づいて第一モータ部を制御することによって、不必要に記録媒体を高速回転させることがなく、消費電力の削減、記録媒体の発熱量の低下という優れた効果を奏し得る。
【００３３】
≪実施形態２≫
【００３４】
<実施形態２の概念>本実施形態は、実施形態１にかかる電子機器の機能に加え、第一制御部に第一回転数決定手段を有し、取得したデータレート値と第一回転数決定手段により決定された回転数に基づいて第一制御部にて第一モータ部を制御し、回転ディスクへのデジタル信号の書き込み又は読み出しを行う電子機器に関する。
【００３５】
<実施形態２の構成>図２に本実施形態にかかる電子機器の機能ブロック図を例示する。本実施形態に示す電子機器（０２００）の構成は、実施形態１にかかる電子機器の構成中の第一制御部に、「第一回転数決定手段」（０２０７）を加えた構成となっている。
【００３６】
<実施形態２の構成の説明>「第一回転数決定手段」（０２０７）とは、データレート値に基づいて回転ディスクの回転数を決定する第一制御部（０２０２）が有する機能である。第一回転数決定手段では、必要に応じて一つ又は複数の、回転数を決定するためのパラメータを第一制御部に設定しておく（以下、このパラメータを「第一回転数決定パラメータ」という）。「第一回転数決定パラメータ」とは、第一制御部において回転ディスクの回転数を決定するための判断基準となるデータレート値に関連するパラメータであり、第一回転数決定パラメータとデータレート値とを比較して回転ディスクの回転数を決定する。
【００３７】
実施形態２の他の構成については、実施形態１の構成と同様であるため省略する。
【００３８】
<実施形態２の具体例>本実施形態にかかる電子機器の具体例は、実施形態１に係る電子機器における具体例と同様である。ただし、第一制御部が第一回転数決定手段を有することを特徴とする。第一制御部では、第一回転数決定手段により、データレート値取得部にて取得されたデータレート値と、第一回転数決定パラメータと、を比較することにより、回転ディスクの回転数を決定し、第一モータ部（０２０３）を制御する。
【００３９】
以下にデータレート値が２Ｍｂｐｓ、８Ｍｂｐｓ、１２Ｍｂｐｓ、２４Ｍｂｐｓのデジタル信号が入力される可能性がある場合の例を示す。例えば、回転ディスクの回転数に、高速回転モードと低速回転モードの２モードがあると仮定した場合では、第一回転数決定手段には１つの第一回転数決定パラメータを設定することにより、高速回転モードか低速回転モードかのいずれか一方を特定することができる。ここで、仮に第一回転数決定パラメータを１０Ｍｂｐｓとし、入力されたデジタル信号のデータレート値が１０Ｍｂｐｓよりも大きい場合には、高速回転モードと決定し、データレート値が１０Ｍｂｐｓ以下の場合には、低速回転モードと決定するように設定する。すると、入力されたデジタル信号のデータレート値が１２Ｍｂｐｓ、２４Ｍｂｐｓのときには高速回転モードと決定し、データレート値が２Ｍｂｐｓ、８Ｍｂｐｓの場合には、低速回転モードと決定することができる。また、回転ディスクの回転数に、上記２モードに加えて、中速回転モードを設定する場合には、同様に第一回転数決定手段には２つの第一回転数決定パラメータを設定することにより回転数を決定することが可能である。
【００４０】
<実施形態２の効果>本実施形態にかかる電子機器では、実施形態１にかかる電子機器の機能に加えて、第一制御部での処理において、第一回転数決定パラメータを設定することによって、よりデータレート値に応じた回転数で第一モータ部を制御することができる。すなわち、第一回転数決定パラメータを複数設定することで、よりきめ細かな回転数制御を行うことが可能となるという優れた効果を奏し得る。
【００４１】
≪実施形態３≫
【００４２】
<実施形態３の概念>本実施形態は、実施形態１又は２に記載のいずれか一にかかる電子機器の機能に加え、第一制御ルール保持手段及び第一制御ルール管理手段を有し、取得したデータレート値と、第一制御ルールと、を参照して決定した回転数に基づいて第一制御部にて第一モータ部を制御し、回転ディスクへのデジタル信号の書き込み又は読み出しを行う電子機器に関する。
【００４３】
<実施形態３の構成>図３に本実施形態にかかる電子機器の機能ブロック図を例示する。本実施形態に示す電子機器（０３００）の構成は、実施形態１又は２のいずれか一にかかる電子機器の構成中の第一制御部（０３０２）に、「第一制御ルール保持手段」（０３０８）及び「第一制御ルール管理手段」（０３０９）を加えた構成となっている。
【００４４】
<実施形態３の構成の説明>「第一制御ルール保持手段」（０３０８）は、第一制御ルールを保持する機能を有する。第一制御ルール保持手段には、一つ又は複数の第一制御ルールを保持する。第一制御部では、第一制御ルール保持手段に保持された第一制御ルールを参照して、回転ディスクの回転数の決定をすることができる。本実施形態では、図４に示すように第一制御ルール保持手段にはテーブルを用いる。「第一制御ルール」とは、第一モータ部を制御するための条件である。
【００４５】
「第一制御ルール管理手段」（０３０９）とは、第一制御ルール保持手段にて保持されている第一制御ルールを管理する機能を有する。第一制御ルールの管理とは、第一制御ルールの追加、変更、削除を表す。第一制御ルール管理手段を有することにより、入力される又は出力するデジタル信号に応じた設定を変更することができる。第一制御ルール管理手段によって、図４のテーブルを図５のように修正することが可能となる。なお、第一制御ルールの管理は、外部からの入力によって管理されてもいいし、内部において管理してもよい。外部からの入力による場合には、ユーザがルールの変更を入力すると、第一制御ルール管理手段においてルール管理命令へ変換し、ルール管理命令によって第一制御ルール保持手段が保持している第一制御ルールを変更する。また、内部において管理する場合とは、例えば、電子機器内の他の部位の稼働率が高くなった場合には、第一制御ルールを減らして頻繁に回転数を変更させないようにする場合などが想定される。
【００４６】
実施形態３の他の構成については、実施形態１又は２に記載のいずれか一にかかる電子機器の構成と同様であるため省略する。
【００４７】
<実施形態３の具体例>本実施形態に係る電子機器の具体例は、実施形態１又は２に記載のいずれか一に係る電子機器における具体例と同様である。ただし、第一制御部が第一制御ルール保持手段および第一制御ルール管理手段を有することを特徴とする。
【００４８】
第一制御部は、データレート値取得部にて取得されたデータレート値と、第一制御ルール保持手段に保持された第一制御ルールとを照らし合わせることにより、回転ディスクの回転数を決定する。例えば、第一制御ルールが、図４に示す第一制御ルールテーブル１（０４１０）のように記録されている場合について説明する。実施形態２と同様にデータレート値が２Ｍｂｐｓ、８Ｍｂｐｓ、１２Ｍｂｐｓ、２４Ｍｂｐｓのデジタル信号を受信する可能性がある場合の例を示す。データレート値が２Ｍｂｐｓの場合には、第一制御ルールテーブル１を参照すると、ルール２が適用され、第一制御部は第一モータ部の回転数を5400rpmで制御する。同様に、８Ｍｂｐｓ、１２Ｍｂｐｓの場合には、ルール３が適用され、２４Ｍｂｐｓの場合には、ルール４が適用される。
【００４９】
この第一制御ルールテーブルは、第一制御ルール管理手段により、第一制御ルールの変更、追加、削除を行うことができる。例えば、図４の第一制御ルールテーブル１のルール４を削除し、ルール３が適用されるデータレート値を「８Ｍｂｐｓ以上」と修正すると、第一制御ルールテーブル１が変更され、図５に示すように第一制御ルールテーブル２（０５１０）となる。このとき、データレート値が２４Ｍｂｐｓの場合には修正前の第一制御ルールテーブル１では制御ルール４が適用されていたが、修正後の第一制御ルールテーブル２では制御ルール３が適用される。
【００５０】
<実施形態３の効果>本実施形態にかかる電子機器では、実施形態１又は２に記載のいずれか一に係る電子機器の機能に加えて、第一制御部において第一制御ルール保持手段及び第一制御ルール管理手段の機能を有する。これにより、第一制御ルールを詳細に設定し、第一モータ部のよりきめ細かな制御を可能とするとともに、第一制御ルール管理手段にて第一制御ルールを追加、変更、削除することができるため、設定後に入力される又は出力するデジタル信号のデータレート値が一様に変更された場合等であっても第一制御ルールを修正することで対応が可能となるという優れた効果を奏し得る。
【００５１】
≪実施形態４≫
【００５２】
<実施形態４の概念>本実施形態は、実施形態１にかかる電子機器におけるデータレート値取得部に代え、データ量値取得部を有し、取得したデータ量値に基づいて第二制御部にて第二モータ部を制御し、回転ディスクへデジタル信号の書き込み又は読み出しを行う電子機器に関する。
【００５３】
<実施形態４の構成>図６に本実施形態にかかる電子機器の機能ブロック図を例示する。本実施形態に示す電子機器（０６００）は、「データ量値取得部」（０６０１）、「第二制御部」（０６０２）、「第二モータ部」（０６０３）、「回転ディスク」（０６０４）を有する。
【００５４】
<実施形態４の構成の説明>「データ量値取得部」（０６０１）とは、記録媒体との間でやり取りするデジタル信号のデータ量値を取得する機能を有する。データ量値取得部では、入力されたデジタル信号（０６０５）又は出力するデジタル信号（０６０６）の転送量から、デジタル信号のデータ量値を取得する。「データ量」とは、デジタル信号のデータの大きさを表す。「データ量値」とは、デジタル信号が持つデータ量を示す数値情報をいい、１０Ｍｂｙｔｅなどと表現する。データ量値取得部の具体例としては、ＣＰＵ等の演算処理装置が挙げられる。
【００５５】
本実施形態では原則として、デジタル信号の入力時のデータ量値は、デジタル信号の転送量によって得られることを想定しているが、デジタル信号を構成する情報の中にデータ量に関する情報が含まれている場合には、デジタル信号に含まれるデータ量に関する情報からデータ量を取得してもよい。また、デジタル信号の出力時には記録されたデジタル信号はデータ量値を有するため、データ量値取得部では原則としてデジタル信号に含まれるデータ量値を取得するが、データ量値が記録されていない場合や不明な場合にはデジタル信号の転送量からデータ量値を測定して取得してもよい。
【００５６】
「第二制御部」（０６０２）は、データ量値取得部にて取得したデータ量値に基づいて第二モータ部を制御する機能を有する。第二制御部は、データ量値に応じて回転ディスクの回転数を決定し、決定した回転数によって第二モータ部を制御する。データ量値取得部で取得したデータ量値が高い場合には、データ処理量が多いと想定されるため、回転ディスクの回転数は高く設定され、データ量値が低い場合には、データ処理量が少ないと想定されるため、回転ディスクの回転数は低く設定される。なお、記録媒体にハードディスクを用いる場合には、ディスクの回転数を調節することができるハードディスクコントローラが第二制御部に好適である。
【００５７】
「第二モータ部」（０６０３）は、回転ディスクを駆動する機能を有する。第二モータ部は、決められた回転数で回転ディスクを回転させるために、第二制御部により制御される。なお、記録媒体にハードディスクを用いる場合には、ディスクを回転させるスピンドルモータが第二モータ部に好適である。
【００５８】
実施形態４の他の構成については、実施形態１から３に記載のいずれか一にかかる電子機器の構成と同様であるため省略する。
【００５９】
<実施形態４から６の処理の流れ>図１１に実施形態４から６に記載のいずれか一にかかる電子機器の処理の流れを示す。前記電子機器は、回転ディスクをモータにより駆動し記録媒体として利用する電子機器であって、まず、記録媒体との間でやり取りするデジタル信号のデータ量値を取得し（Ｓ１１０１、データ量値取得ステップ）、次に、データ量値取得ステップにて取得したデータ量値に基づいてモータを制御する（Ｓ１１０２、第二制御ステップ）。
【００６０】
<実施形態４の具体例>外部からのデジタル信号が電子機器に入力されると、データ量値取得部にて、デジタル信号の転送量からデジタル信号のデータ量値を測定して取得する。データ量値取得部にて取得したデータ量値は、第二制御部に伝達される。第二制御部では、伝達されたデータ量値に応じて回転ディスクの回転数を決定し、決定した回転数で第二モータ部を制御する。第二モータ部では、第二制御部にて決定された回転数に基づいて回転ディスクを回転させ、回転ディスクへデジタル信号が書き込まれる。このとき、取得したデータ量値も回転ディスクに書き込むと、デジタル信号を出力する場合にはこの書き込んだデータ量値を取得することによって、転送量を再度測定する必要は無くなる。
【００６１】
入力されたデジタル信号を出力する場合には、回転ディスクに記録されたデータ量値をデータ量値取得部にて取得し、データ量値取得部から第二制御部へ取得したデータ量値が伝達される。第二制御部では回転ディスクの回転数を決定し、決定した回転数に応じて第二モータ部を制御する。第二モータ部では決定された回転数に基づいて回転ディスクを回転させ、回転ディスクからデジタル信号が読み出され、デジタル信号が出力される。
【００６２】
<実施形態４の効果>本実施形態にかかる電子機器では、受信される又は出力するデジタル信号のデータ量値に基づいて第二モータ部の回転数を第二制御部で制御することによって、不必要に記録媒体を高速回転させることがなく、消費電力の削減、記録媒体の発熱量の低下という優れた効果を奏し得る。また、本実施形態では、デジタル信号のデータ量に応じてモータの制御を行うので、デジタル信号がデータレート値を有していない場合であっても回転数の制御が可能であるという効果を奏する。
【００６３】
≪実施形態５≫
【００６４】
<実施形態５の概念>本実施形態は、実施形態４にかかる電子機器の機能に加え、第二制御部に第二回転数決定手段を有し、取得したデータ量値と第二回転数決定手段により決定された回転数に基づいて第二制御部にて第二モータ部を制御し、回転ディスクへのデジタル信号の書き込み又は読み出しを行う電子機器に関する。
【００６５】
<実施形態５の構成>図７に本実施形態にかかる電子機器の機能ブロック図を例示する。本実施形態に示す電子機器（０７００）の構成は、実施形態４にかかる電子機器の構成中の第二制御部（０７０２）に、「第二回転数決定手段」（０７０７）を加えた構成となっている。
【００６６】
<実施形態５の構成の説明>「第二回転数決定手段」（０７０７）とは、データ量値に基づいて回転ディスクの回転数を決定する第二制御部が有する機能である。第二回転数決定手段では、必要に応じて一つ又は複数の、回転数を決定するためのパラメータを第二制御部に設定しておく（以下、このパラメータを「第二回転数決定パラメータ」という）。「第二回転数決定パラメータ」とは、第二制御部において回転数を決定するための判断基準となるデータ量値と関連するパラメータであり、第二回転数決定パラメータと、データ量値と、を比較して第二モータ部の回転数を決定する。
【００６７】
実施形態５の他の構成については、実施形態１から４に記載のいずれか一にかかる電子機器の構成と同様であるため省略する。
【００６８】
<実施形態５の具体例>本実施形態に係る電子機器の具体例は、実施形態４に係る電子機器における具体例と同様である。ただし、第二制御部が第二回転数決定手段を有することを特徴とする。
【００６９】
第二制御部では、第二回転数決定手段により、データ量値取得部にて取得されたデータ量値と、第二回転数決定パラメータと、を比較することにより、回転ディスクの回転数を決定し、第二モータ部を制御する。
【００７０】
第二回転数決定手段は、実施形態２の第一回転数決定手段におけるパラメータをデータ量値で設定したものであり、機能は第一回転数決定手段と同様であるため省略する。
【００７１】
<実施形態５の効果>本実施形態にかかる電子機器では、実施形態４にかかる電子機器の機能に加えて、第二制御部での処理において、第二回転数決定パラメータを設定することによって、よりデータ量値に即した回転数で第二モータ部を制御することができる。すなわち、第二回転数決定パラメータを複数設定することで、よりきめ細かな回転数制御を行うことが可能となるという優れた効果を奏し得る。
【００７２】
≪実施形態６≫
【００７３】
<実施形態６の概念>本実施形態は、実施形態４又は５に記載のいずれか一にかかる電子機器の機能に加え、第二制御ルール保持手段及び第二制御ルール管理手段を有し、取得したデータ量値と第二制御ルールとを参照して回転ディスクの回転数を決定し、決定した回転数に基づいて第二制御部にて第二モータ部を制御し、回転ディスクへのデジタル信号の書き込み又は読み出しを行う電子機器に関する。
【００７４】
<実施形態６の構成>図８に本実施形態にかかる電子機器の機能ブロック図を例示する。本実施形態に示す電子機器（０８００）の構成は、実施形態４又は５に記載のいずれか一にかかる電子機器の構成中の第二制御部（０８０２）に、「第二制御ルール保持手段」（０８０８）及び「第二制御ルール管理手段」（０８０９）を加えた構成となっている。
【００７５】
<実施形態６の構成の説明>「第二制御ルール保持手段」（０８０８）は、第二制御ルールを保持する機能を有する。第二制御ルール保持手段には、一つ又は複数の第二制御ルールを設定する。第二制御部では、第二制御ルール保持手段に設定された第二制御ルールを参照して、回転ディスクの回転数の決定をすることができる。「第二制御ルール」とは、第二モータ部を制御するための条件である。
【００７６】
「第二制御ルール管理手段」（０８０９）とは、第二制御ルール保持手段にて保持されている第二制御ルールを管理する機能を有する。第二制御ルールの管理とは、第二制御ルールの追加、変更、削除を表す。第二制御ルール管理手段を有することにより、入力される又は出力するデジタル信号に応じた設定を変更することができる。なお、第二制御ルールの管理は、外部からの入力によって管理されてもいいし、内部において管理してもよい。外部からの入力による場合には、ユーザがルールの変更を入力すると、第二制御ルール管理手段においてルール管理命令へ変換し、ルール管理命令によって第二制御ルール保持手段が保持している第二制御ルールを変更する。また、内部において管理する場合とは、例えば、電子機器内の他の部位の稼働率が高くなった場合には、第二制御ルールを減らして頻繁に回転数を変更させないようにする場合などが想定される。
【００７７】
実施形態６の他の構成については、実施形態１から５に記載のいずれか一にかかる構成と同様であるため省略する。
【００７８】
<実施形態６の具体例>本実施形態に係る電子機器の具体例は、実施形態４又は５に記載のいずれか一に係る電子機器における具体例と同様である。ただし、第二制御部が第二制御ルール保持手段および第二制御ルール管理手段を有することを特徴とする。第二制御ルール保持手段および第二制御ルール管理手段の機能については、実施形態３の第一制御ルール保持手段および第一制御ルール管理手段の機能と同様であるため省略する。
【００７９】
<実施形態６の効果>本実施形態にかかる電子機器では、実施形態４から５に記載のいずれか一に係る電子機器の機能に加えて、第二制御部において第二制御ルール保持手段及び第二制御ルール管理手段の機能を有する。これにより、第二制御ルールを詳細に設定することによって、よりきめ細かな制御を可能とするとともに、第二制御ルール管理手段にて第二制御ルールを追加、変更、削除することができるため、設定後に受信するデジタル信号のデータ量値が一様に大きくなった場合等であっても対応が可能となるという優れた効果を奏し得る。
【００８０】
≪実施形態７≫
【００８１】
<実施形態７の概念>本実施形態は、実施形態１から６に記載のいずれか一または複数にかかる電子機器の機能に加え、制御部にパラメータ取得手段を有し、制御部では取得した一又は複数のパラメータを組み合わせて回転ディスクの回転数を決定し、決定した回転数に基づいてモータ部を制御し、回転ディスクへのデジタル信号の書き込み又は読み出しを行う電子機器に関する。
【００８２】
<実施形態７の構成>図９に本実施形態にかかる電子機器の機能ブロック図を例示する。本実施形態に示す電子機器（０９００）の構成は、実施形態１から６に記載のいずれか一にかかる電子機器の構成中の制御部（０９０２）に、「パラメータ取得手段」（０９１１）を加えた構成となっている。
【００８３】
<実施形態７の構成の説明>「パラメータ取得手段」（０９１１）は、実施形態１から６に記載の「データレート値取得部」又は「データ量値取得部」のいずれか一又は二の回転ディスクの回転数を決定するためのパラメータをデジタル信号から取得可能な取得部から、パラメータを取得する機能を有する。パラメータとは、デジタル信号が持つデジタル信号特有の数値である。データレート値およびデータ量値は、このパラメータに含まれる。
【００８４】
「制御部」（０９０２）は、「第一制御部」又は「第二制御部」であり、さらに、回転ディスクの回転数決定のための一以上のパラメータを取得するパラメータ取得手段を有し、パラメータ取得手段にて取得したパラメータにも基づいて制御を行う機能を有する。制御部は、実施形態１から６に記載の第一制御部又は第二制御部のいずれか一又は複数の機能を組み合わせて、回転ディスクの回転数を決定する。なお、制御部では、パラメータ取得手段によって取得したパラメータ以外の情報に応じてモータ部を制御することもできる。例えば、回転ディスクへの記録時又は再生時に電子機器の他の部位（例えばＣＰＵなど）の稼働率が高い場合には、この稼働率をパラメータの一つとして変換し、回転ディスクの回転数を低く設定することなどが可能である。なお、記録媒体にハードディスクを用いる場合には、ディスクの回転数を調節することができるハードディスクコントローラが制御部に好適である。
【００８５】
なお、本実施形態では、実施形態１から６のいずれか一に記載の「第一モータ部」又は「第二モータ部」を有するが、本実施形態ではこれらをまとめて「モータ部」という。実施形態７の他の構成については、実施形態１から６に記載のいずれか一にかかる電子機器の構成と同様であるため省略する。
【００８６】
<実施形態７の具体例>本実施形態に係る電子機器の具体例は、実施形態１から６に記載のいずれか一に係る電子機器における具体例と同様である。ただし、制御部にパラメータ取得手段を有し、取得した一以上のパラメータにも基づいて回転ディスクの制御を行うことを特徴とする。
【００８７】
外部から入力されるデジタル信号から、実施形態１から６のいずれか一に記載の機能により得られたデータレート値又はデータ量値の一以上のパラメータを、パラメータ取得手段により取得する。制御部では取得したパラメータに応じて、回転ディスクの回転数を決定する。回転数の決定には、実施形態１から６のいずれか一に記載の機能を用いる。また、制御部では、取得したパラメータ以外の数値にも基づいて回転数を決定することも可能である。モータ部は、制御部で決定された回転数に基づいて回転ディスクを回転させ、デジタル信号は回転ディスクへ書き込まれる。
【００８８】
入力されたデジタル信号を出力する場合には、パラメータ取得手段により、デジタル信号から取得可能なパラメータを取得し、取得したパラメータに応じて回転ディスクの回転数を決定する。制御部では、決定した回転数に応じてモータ部を制御する。モータ部では決定された回転数に基づいて回転ディスクを回転させ、回転ディスクからデジタル信号が読み出され、デジタル信号が出力される。
【００８９】
なお、パラメータとして、ここではデータレート値とデータ量値を挙げたが、これ以外の値をパラメータとしてデジタル信号から取得して、回転ディスクの回転数の決定に用いてもよい。
【００９０】
<実施形態７の効果>本実施形態にかかる電子機器では、実施形態１から６のいずれか一にかかる電子機器の機能に加えて、パラメータ取得手段を有し、制御部では、一または複数のパラメータと、取得したパラメータ以外の数値により回転ディスクの回転数を決定することができる。これにより、データレート値とデータ量値の両方に基づいてモータ部の制御を行うことができるため、よりきめ細かな制御が可能となり、不必要に記録媒体を高速回転させることがなく、消費電力の削減が可能となる。また、例えば、デジタル信号が、DVDに記録された映像のように、映像に合わせてデータレート値が変動する可変レートの場合には、メタ情報には平均したデータレート値が記述されているため、パラメータとしてメタ情報に記述されているデータレート値のみを採用すると、実際のデータレート値とはかけ離れた値になってしまう場合がある。このような場合であっても、データ量値を別に取得し、データ量値もパラメータとして採用することにより、よりデータの特性に合ったモータ部の回転数を決定することが可能となり、デジタル信号の記録、再生に悪影響を及ぼすことなく消費電力の削減が可能となる。
【図面の簡単な説明】
【００９１】
【図１】実施形態１にかかる電子機器の機能ブロック図
【図２】実施形態２にかかる電子機器の機能ブロック図
【図３】実施形態３にかかる電子機器の機能ブロック図
【図４】第一制御ルールテーブル１
【図５】第一制御ルールテーブル２
【図６】実施形態４にかかる電子機器の機能ブロック図
【図７】実施形態５にかかる電子機器の機能ブロック図
【図８】実施形態６にかかる電子機器の機能ブロック図
【図９】実施形態７にかかる電子機器の機能ブロック図
【図１０】実施形態８にかかる電子機器の処理の流れを示すフロー図
【図１１】実施形態９にかかる電子機器の処理の流れを示すフロー図
【符号の説明】
【００９２】
０１００  電子機器
０１０１  データレート値取得部
０１０２  第一制御部
０１０３  第一モータ部
０１０４  回転ディスク
０２０７  第一回転数決定手段
０３０８  第一制御ルール保持手段
０３０９  第一制御ルール管理手段
０４１０  第一制御ルールテーブル１
０５１０  第一制御ルールテーブル２
０６０１  データ量値取得部
０６０２  第二制御部
０６０３  第二モータ部
０７０７  第二回転数決定手段
０８０８  第二制御ルール保持手段
０８０９  第二制御ルール管理手段
０９１１  パラメータ取得手段
【図１】
2006331581.tif 000003
【図２】
2006331581.tif 000004
【図３】
2006331581.tif 000005
【図４】
2006331581.tif 000006
【図５】
2006331581.tif 000007
【図６】
2006331581.tif 000008
【図７】
2006331581.tif 000009
【図８】
2006331581.tif 000010
【図９】
2006331581.tif 000011
【図１０】
2006331581.tif 000012
【図１１】
2006331581.tif 000013